(57)【要約】【課題】組立性を向上することが可能な画像読取装置及び複合機を提供する。【解決手段】イメージスキャナーは、画像を読み取るためのスキャナー部１４と、スキャナー部１４に組み付けられる操作パネル１６とを備える。スキャナー部１４は、スキャナーアッパー３０と、スキャナーアッパー３０に組み付けられるスキャナーロアー３２と、スキャナーアッパー３０とスキャナーロアー３２とで挟持されるガラス板３１とを備える。そして、スキャナーアッパー３０に対するスキャナーロアー３２の組み付け方向と、スキャナーロアー３２に対する操作パネル１６の組み付け方向とが同じになっている。【選択図】図３
2013115768.tif 000002
【特許請求の範囲】
【請求項１】
画像を読み取るためのスキャナー部と、前記スキャナー部に組み付けられる操作部材とを備えた画像読取装置であって、
前記スキャナー部は、
第１スキャナー部材と、
前記第１スキャナー部材に組み付けられる第２スキャナー部材と、
前記第１スキャナー部材と前記第２スキャナー部材とで挟持されるガラス板と
を備え、
前記第１スキャナー部材に対する前記第２スキャナー部材の組み付け方向と、前記第１スキャナー部材及び前記第２スキャナー部材のうちのいずれか一方に対する前記操作部材の組み付け方向とが同じであることを特徴とする画像読取装置。
【請求項２】
前記第１スキャナー部材及び前記第２スキャナー部材のうちの前記操作部材が組み付けられる方には、前記操作部材を組み付けるための組み付け部が一体形成されていることを特徴とする請求項１に記載の画像読取装置。
【請求項３】
前記操作部材は、操作するための操作面を有しており、
前記操作面は、傾斜していることを特徴とする請求項１または請求項２に記載の画像読取装置。
【請求項４】
前記操作部材は、前記スキャナー部に組み付けられる際に、前記スキャナー部が有する位置決め部に当接することによって位置決めされ、
前記位置決め部は、前記操作面に対して平行または垂直になっていることを特徴とする請求項３に記載の画像読取装置。
【請求項５】
前記操作部材は、前記スキャナー部に対してねじで固定するためのねじ止め部を備えており、
前記ねじ止め部における前記ねじが挿入される挿入部は、前記ねじの軸と交差する方向に開口していることを特徴とする請求項３または請求項４に記載の画像読取装置。
【請求項６】
前記操作部材は、前記操作面が操作される際の操作力によって前記操作面と交差する方向へ撓むことを抑制するための撓み抑制部を備えていることを特徴とする請求項３〜請求項５のうちいずれか一項に記載の画像読取装置。
【請求項７】
請求項１〜請求項６のうちいずれか一項に記載の画像読取装置と、前記画像読取装置によって読み取られた画像を記録可能な記録装置とを備えたことを特徴とする複合機。
【発明の詳細な説明】
【技術分野】
【０００１】
本発明は、画像読取装置及び該画像読取装置を備えた複合機に関する。
【背景技術】
【０００２】
一般に、複合機は、画像を読み取る画像読取部と、該画像読取部で読み取った画像を記録する記録部とを備えている。こうした複合機は、通常、記録部上に画像読取部が配置された構成になっている（例えば、特許文献１）。この特許文献１の画像読取記録装置（複合機）では、記録部上にスキャナー部が設けられ、さらにスキャナー部上に操作用のパネル部が設けられている。
【先行技術文献】
【特許文献】
【０００３】
【特許文献１】特開２００７−２８４９７号公報
【発明の概要】
【発明が解決しようとする課題】
【０００４】
ところで、特許文献１の画像読取記録装置では、記録部とスキャナー部との組み付け方向と、スキャナー部とパネル部との組み付け方向とが異なるため、組み立て工程が繁雑なものとなっていた。すなわち、特許文献１の画像読取記録装置では、組み立て工程を十分に考慮した設計になっていないため、組立性が悪いという問題があった。
【０００５】
本発明は、このような従来技術に存在する問題点に着目してなされたものである。その目的とするところは、組立性を向上することが可能な画像読取装置及び複合機を提供することにある。
【課題を解決するための手段】
【０００６】
上記目的を達成するために、本発明の画像読取装置は、画像を読み取るためのスキャナー部と、前記スキャナー部に組み付けられる操作部材とを備えた画像読取装置であって、前記スキャナー部は、第１スキャナー部材と、前記第１スキャナー部材に組み付けられる第２スキャナー部材と、前記第１スキャナー部材と前記第２スキャナー部材とで挟持されるガラス板とを備え、前記第１スキャナー部材に対する前記第２スキャナー部材の組み付け方向と、前記第１スキャナー部材及び前記第２スキャナー部材のうちのいずれか一方に対する前記操作部材の組み付け方向とが同じである。
【０００７】
この発明によれば、第１スキャナー部材に対する第２スキャナー部材の組み付け作業と、第１スキャナー部材及び第２スキャナー部材のうちのいずれか一方に対する操作部材の組み付け作業とを同じ１つの工程で行うことができるので、組立性を向上することが可能となる。
【０００８】
本発明の画像読取装置において、前記第１スキャナー部材及び前記第２スキャナー部材のうちの前記操作部材が組み付けられる方には、前記操作部材を組み付けるための組み付け部が一体形成されている。
【０００９】
この発明によれば、組み付け部に対して操作部材を容易に組み付けることが可能となる。
本発明の画像読取装置において、前記操作部材は、操作するための操作面を有しており、前記操作面は、傾斜している。
【００１０】
この発明によれば、操作面をユーザーの視線に合わせるように傾斜させることで、ユーザーが操作部材を容易に操作することが可能となる。
本発明の画像読取装置において、前記操作部材は、前記スキャナー部に組み付けられる際に、前記スキャナー部が有する位置決め部に当接することによって位置決めされ、前記位置決め部は、前記操作面に対して平行または垂直になっている。
【００１１】
一般に、複数の合成樹脂の成型品同士を組み付ける際の位置決め部を設定する場合において、これらの成型品を成型する金型の基準面に対して位置決め部が平行または垂直とならないように設定すると、金型からの成型品の抜き方向との関係から、成型品同士を組み付ける際の位置決め精度が低下してしまうという問題がある。
【００１２】
この点、この発明によれば、操作部材の操作面を成型時の金型の基準面として操作部材及びスキャナー部の位置決め部を合成樹脂の成型品によって構成する場合、傾斜した操作面に対して平行または垂直な位置決め部によって操作部材の位置決めがなされるので、操作部材の位置決め精度を向上することが可能となる。すなわち、この発明によれば、上述した成型品同士を組み付ける際の位置決め精度が低下してしまうという問題を解決することができる。
【００１３】
本発明の画像読取装置において、前記操作部材は、前記スキャナー部に対してねじで固定するためのねじ止め部を備えており、前記ねじ止め部における前記ねじが挿入される挿入部は、前記ねじの軸と交差する方向に開口している。
【００１４】
この発明によれば、操作部材を成型する場合に、挿入部がアンダーカットにならなくなる。したがって、操作部材を成型によって容易に製造することが可能となる。
本発明の画像読取装置は、前記操作部材は、前記操作面が操作される際の操作力によって前記操作面と交差する方向へ撓むことを抑制するための撓み抑制部を備えている。
【００１５】
この発明によれば、ユーザーが操作部材を操作する際の操作力によって操作部材が操作面と交差する方向へ撓むことを、撓み抑制部によって抑制することが可能となる。
本発明の複合機は、上記構成の画像読取装置と、前記画像読取装置によって読み取られた画像を記録可能な記録装置とを備えた。
【００１６】
この発明によれば、上記構成の画像読取装置と同様の作用効果を得ることが可能となる。
【図面の簡単な説明】
【００１７】
【図１】実施形態におけるインクジェット複合機の斜視図。
【図２】同複合機の内部構造を示す斜視図。
【図３】同複合機における操作パネルを含むスキャナー部の分解斜視図。
【図４】同スキャナー部におけるスキャナーロアーの組み付け部の正面図。
【図５】図４の要部拡大斜視図。
【図６】図４の要部拡大斜視図。
【図７】同スキャナーロアーの要部拡大平面図。
【図８】同複合機における操作パネルの斜視図。
【図９】図８の要部拡大斜視図。
【図１０】図８の要部拡大斜視図。
【図１１】同スキャナーロアーに操作パネルが組み付けられたときの状態を示す断面斜視図。
【図１２】図１１の要部拡大断面図。
【図１３】同スキャナーロアーに操作パネルが組み付けられたときの状態を示す断面図。
【図１４】同複合機におけるイメージスキャナーの底面図。
【発明を実施するための形態】
【００１８】
以下、本発明の複合機をインクジェット複合機に具体化した一実施形態について、図面に従って説明する。また、以下の説明において、「前後方向」、「左右方向」、「上下方向」をいう場合は各図中に矢印で示す前後方向、左右方向、上下方向をそれぞれ示すものとする。なお、図面中の上方向、右方向及び前方向を示す矢印において、「○」の中に「・」が記載されたもの（矢の先端を前から見た図）は紙面の裏から表に向かう矢印を意味し、「○」の中に「×」が記載されたもの（矢の羽根を後ろから見た図）は紙面の表から裏に向かう矢印を意味するものとする。
【００１９】
図１及び図２に示すように、複合機としてのインクジェット複合機１１は、記録装置としてのインクジェット式プリンター１２と、インクジェット式プリンター１２上に設けられた画像読取装置としてのイメージスキャナー１３とを備え、全体として略直方体状をなしている。イメージスキャナー１３は、画像を読み取るためのスキャナー部１４と、スキャナー部１４上に載置される原稿などを押さえるための矩形板状をなす蓋体１５とを備えている。
【００２０】
蓋体１５の後端は、スキャナー部１４の上面における後端部に回動可能に支持されている。そして、蓋体１５は、その後端を回動中心として回動されることで、スキャナー部１４の上面を開閉する。また、インクジェット式プリンター１２は、イメージスキャナー１３によって読み取られた原稿などの画像を用紙Ｐに印刷（記録）する。
【００２１】
インクジェット複合機１１の前面には、該インクジェット複合機１１を操作するための操作部材としての左右方向に長い略矩形状をなす操作パネル１６が設けられている。インクジェット複合機１１の前面における操作パネル１６の下側には、インクジェット式プリンター１２によって印刷された用紙Ｐが排紙される左右方向に長い略矩形状をなす排紙口１７が開口している。排紙口１７の幅は、上下方向及び左右方向において、操作パネル１６の幅とそれぞれほぼ同じになっている。
【００２２】
図２に示すように、インクジェット式プリンター１２は、上端及び前端が開口した略矩形箱状をなす本体ケース２０を備えている。本体ケース２０内の下部には、その長手方向である左右方向に沿って延びる矩形板状の支持台２１が設けられている。支持台２１上には、本体ケース２０内に設けられた図示しない紙送りモーターの駆動に基づき、図示しない紙送り機構により用紙Ｐが後方側から給送される。
【００２３】
本体ケース２０内における支持台２１の上方には、該支持台２１の長手方向（左右方向）に沿って延びるガイドレール２２が架設されている。ガイドレール２２には、該ガイドレール２２の延びる方向である左右方向に沿って往復移動可能にキャリッジ２３が支持されている。そして、キャリッジ２３は、本体ケース２０内に設けられた図示しないキャリッジモーターの駆動に基づき、図示しない移動機構によりガイドレール２２にガイドされながら走査方向である左右方向に沿って往復移動される。
【００２４】
キャリッジ２３上には、内部に液体としてのインクが収容されたインクカートリッジ２４が着脱可能に装着されている。一方、キャリッジ２３の下部には、用紙Ｐに対してインクを噴射可能な記録ヘッド２５が、支持台２１上に給送される用紙Ｐと対向するように支持されている。
【００２５】
記録ヘッド２５の下面には、図示しない複数のノズルが開口している。そして、記録ヘッド２５に備えられた図示しない圧電素子の駆動により、インクカートリッジ２４内のインクが記録ヘッド２５へと供給され、記録ヘッド２５の各ノズル（図示略）から支持台２１上に給送された用紙Ｐにそれぞれ噴射されて印刷が行われる。
【００２６】
図３に示すように、スキャナー部１４は、矩形枠状の第１スキャナー部材としてのスキャナーアッパー３０と、矩形状のガラス板３１と、ガラス板３１を支持した状態でスキャナーアッパー３０に組み付けられる矩形箱状の第２スキャナー部材としてのスキャナーロアー３２とを備えている。すなわち、ガラス板３１は、スキャナーアッパー３０とスキャナーロアー３２とで挟持されている。そして、スキャナーロアー３２の前面には、操作パネル１６を組み付けるための矩形板状の組み付け部３３が一体形成されている。
【００２７】
図４及び図５に示すように、組み付け部３３の右端部には、操作パネル１６を組み付けた際に操作パネル１６の一部が嵌合することで操作パネル１６の左右方向の位置決めをする上下に延びる嵌合溝３４が形成されている。一方、組み付け部３３の左端部には、操作パネル１６を組み付けた際に操作パネル１６の一部が遊嵌する上下に延びる遊嵌溝３５が形成されている。左右方向において、嵌合溝３４の幅は、遊嵌溝３５の幅よりも小さくなっている。
【００２８】
組み付け部３３における両溝３４，３５の左右方向の外側には、位置決め部としての左右一対の第１斜面３６が形成されている。各第１斜面３６は、上下方向に延びるとともに、下端よりも上端の方が後側に位置するように傾斜している。また、組み付け部３３における各第１斜面３６の上側には、位置決め部としての左右一対の第２斜面３７が形成されている。各第２斜面３７は、前後方向に延びるとともに、前端よりも後端の方が低くなるように傾斜している。
【００２９】
組み付け部３３における下端部には、３つの凹部３８〜４０が左右方向に等間隔となるように形成されている。３つの凹部３８〜４０は、左から順に、左凹部３８、中央凹部３９、右凹部４０とされている。すなわち、左凹部３８は組み付け部３３の下端部における左端部に位置し、中央凹部３９は組み付け部３３の下端部における左右方向の中央部に位置し、右凹部４０は組み付け部３３の下端部における右端部に位置している。
【００３０】
また、スキャナーロアー３２の前端部には、左右方向において組み付け部３３を挟む左右一対の円筒状のボス部４１が下方に向かって突設されている。各ボス部４１には、ねじ孔４１ａが形成されている。
【００３１】
図４及び図６に示すように、スキャナーロアー３２の前端部における組み付け部３３の上側には、左右一対の四角筒状の嵌合孔４２が形成されている。各嵌合孔４２は、上下に開口しているとともに、左右方向において両凹部３８，４０よりも内側に位置している。さらに、図７に示すように、各嵌合孔４２は、スキャナーロアー３２の前端縁部に形成された隔壁３２ａによって、スキャナーロアー３２の内部空間Ｋと隔絶されている。
【００３２】
図８及び図１１に示すように、操作パネル１６は、後側が開口した有底矩形箱状をなすパネルケース４５と、パネルケース４５内の中央部に支持された矩形板状のパネル基板４６とを備えている。パネルケース４５の前面におけるパネル基板４６と前後方向に対応する位置には、インクジェット複合機１１（図１参照）を操作するための矩形状の操作面１６ａが形成されている。
【００３３】
操作面１６ａは、下端よりも上端の方が後側に位置するように傾斜している。すなわち、操作面１６ａは、前斜め上方を向くように傾斜している。そして、左右方向において、操作面１６ａの幅は、パネル基板４６の幅よりも若干広くなっている。
【００３４】
図１１及び図１３に示すように、パネル基板４６の前面には、左右方向に並ぶように複数（本実施形態では４つ）のスイッチ４７が実装されている。パネルケース４５の前壁における各スイッチ４７と対応する位置には、貫通孔４８がそれぞれ形成されている。各貫通孔４８は、操作面１６ａの領域内に位置している。各スイッチ４７は操作ボタン４９によってそれぞれ覆われるとともに、各操作ボタン４９は各貫通孔４８に挿入されている。
【００３５】
すなわち、各操作ボタン４９は、各スイッチ４７にそれぞれ接触するとともに、各貫通孔４８からそれぞれ露出している。したがって、ユーザーが各操作ボタン４９を押すことで、各スイッチ４７が押される。
【００３６】
図４及び図８に示すように、パネルケース４５の右端部には、操作パネル１６を組み付け部３３に組み付けた際に、組み付け部３３の嵌合溝３４に嵌合する嵌合片５０が形成されている。一方、パネルケース４５の左端部には、操作パネル１６を組み付け部３３に組み付けた際に、組み付け部３３の遊嵌溝３５に遊嵌する遊嵌片５１が形成されている。
【００３７】
また、パネルケース４５の左右両端部には、操作パネル１６を組み付け部３３に組み付けた際に、各第１斜面３６及び各第２斜面３７にそれぞれ当接する第１当接面５２及び第２当接面５３がそれぞれ形成されている。そして、各第１斜面３６及び各第２斜面３７と、各第１当接面５２及び各第２当接面５３とは、それぞれ対応するように傾斜している。
【００３８】
図１１に示すように、各第１当接面５２は操作面１６ａに対して平行になっているとともに、各第２当接面５３は操作面１６ａに対して垂直になっている。したがって、各第１斜面３６は操作面１６ａに対して平行になっているとともに、各第２斜面３７は操作面１６ａに対して垂直になっている。
【００３９】
図４及び図８に示すように、パネルケース４５の下端部には、操作パネル１６を組み付け部３３に組み付けた際に、組み付け部３３の左凹部３８、中央凹部３９、及び右凹部４０とそれぞれ係合する左係合部５４、中央係合部５５、及び右係合部５６が形成されている。中央係合部５５の前側には、中央係合部５５と隣接する撓み抑制部としての係合凹部５７が形成されている。係合凹部５７は、図１３に示すように、操作パネル１６を組み付け部３３に組み付けた際に、中央凹部３９を形成する底壁部３９ａを前後方向に挟み込む。
【００４０】
図４及び図８に示すように、パネルケース４５の上面上には、操作パネル１６を組み付け部３３に組み付けた際に、各嵌合孔４２にそれぞれ挿嵌される左右一対の挿嵌部５８が上方に向かって突出するように形成されている。
【００４１】
図９に示すように、挿嵌部５８は、上から見て略Ｔ字状をなしている。すなわち、挿嵌部５８は、左右方向に延びるベース部５９と、ベース部５９における左右方向の中央部から前方に向かって延びる延出部６０とを備えている。延出部６０の前面には、上下方向に延びる突条６１が前方に向かって突出するように設けられている。
【００４２】
突条６１は、前方に向かうほど徐々に左右方向の幅が小さくなっている。すなわち、突条６１の前端（先端）は、尖っている。また、左右方向において、突条６１の幅は、延出部６０の幅の半分程度となるように設定されている。したがって、突条６１の強度は、延出部６０の強度に比べて弱くなっている。なお、突条６１の上面は、前方（先端）に向かうほど下降するように傾斜している。
【００４３】
図１２に示すように、挿嵌部５８の左右方向における幅は、嵌合孔４２の左右方向における幅よりも狭くなっている。一方、挿嵌部５８の前後方向における幅は、嵌合孔４２の前後方向における幅よりも若干広くなっている。すなわち、突条６１を含んだ場合の挿嵌部５８の前後方向における幅は嵌合孔４２の前後方向における幅よりも若干広くなっているとともに、突条６１を除いた場合の挿嵌部５８の前後方向における幅は嵌合孔４２の前後方向における幅よりも若干狭くなっている。
【００４４】
図８及び図１０に示すように、パネルケース４５の左右両側面には、操作パネル１６をスキャナーロアー３２の組み付け部３３（図４参照）に対してねじとしてのパネルねじ６２で固定するためのねじ止め部６３が対をなすように設けられている。ねじ止め部６３は、略Ｌ字板状をなしている。すなわち、ねじ止め部６３は、水平な水平部６４と、水平部６４の前端から操作面１６ａ（図１１参照）と平行となるように前斜め下方に向かって延びる傾斜部６５とを備えている。
【００４５】
図１０に示すように、ねじ止め部６３には、操作パネル１６をスキャナーロアー３２の組み付け部３３（図４参照）に対してパネルねじ６２で固定する際に、パネルねじ６２が挿入される挿入部としての前後方向に長い長孔６６が形成されている。長孔６６は、左右方向において、ねじ止め部６３の中央部よりもやや外側寄りの位置に配置されている。また、長孔６６は、水平部６４における前後方向の中央部から傾斜部６５の上部にかけて延びている。
【００４６】
したがって、長孔６６は、前端部が下方に屈曲しているため、前方に向かって開口している。すなわち、長孔６６は、長孔６６に挿入されるパネルねじ６２の軸６２ａと交差する方向である前方に向かって開口している。
【００４７】
次に、イメージスキャナー１３を組み立てる際の作用について説明する。
さて、イメージスキャナー１３を組み立てる場合には、まず、蓋体１５、スキャナーアッパー３０、ガラス板３１、スキャナーロアー３２を順次嵌め合わせた状態で、これらを上下逆さまにする。続いて、スキャナーロアー３２の組み付け部３３の嵌合溝３４に操作パネル１６の嵌合片５０を係合させることで、スキャナーロアー３２に対する操作パネル１６の左右方向の位置合わせ（位置決め）がなされる。
【００４８】
続いて、スキャナーロアー３２の各嵌合孔４２に操作パネル１６の各挿嵌部５８を下側からそれぞれ挿嵌するとともに、操作パネル１６の各係合部５４〜５６をスキャナーロアー３２の組み付け部３３の各凹部３８〜４０とそれぞれ係合させる。これにより、スキャナーロアー３２の組み付け部３３の嵌合溝３４及び遊嵌溝３５に操作パネル１６の嵌合片５０及び遊嵌片５１がそれぞれ嵌合及び遊嵌されるとともに、スキャナーロアー３２の各ボス部４１に操作パネル１６のねじ止め部６３の水平部６４が当接してねじ孔４１ａと長孔６６とが上下方向に重なる。
【００４９】
このとき、操作パネル１６の各第１当接面５２及び各第２当接面５３がスキャナーロアー３２の各第１斜面３６及び各第２斜面３７にそれぞれ当接することで、操作パネル１６の前後方向及び上下方向の位置決めがなされる。さらにこのとき、各挿嵌部５８は、図１２に示すように、突条６１が潰れながら各嵌合孔４２にそれぞれ挿嵌されるため、挿嵌方向とほぼ直交する前後方向のがたつきが抑制される。
【００５０】
またさらにこのとき、操作パネル１６の係合凹部５７は、図１３に示すように、スキャナーロアー３２の組み付け部３３の中央凹部３９を形成する底壁部３９ａを前後方向に挟み込む。これにより、操作パネル１６の前後方向への移動が規制される。このため、ユーザーが操作ボタン４９を、操作面１６ａと交差する方向である後方に向かって押圧する操作を行った場合でも、この操作力によって操作パネル１６が後方へ撓むことが抑制される。
【００５１】
続いて、図１４に示すように、パネルねじ６２を操作パネル１６の各ねじ止め部６３の長孔６６を通して各ボス部４１のねじ孔４１ａにそれぞれ螺入するとともに、スキャナーアッパー３０に対してスキャナーロアー３２をねじ６７によりそれらの周縁部において４箇所で固定する。これにより、スキャナーロアー３２に対して操作パネル１６が組み付けられるとともに、スキャナーアッパー３０に対してスキャナーロアー３２が組み付けられて、イメージスキャナー１３の組み立てが完了する。
【００５２】
この場合、スキャナーアッパー３０に対してスキャナーロアー３２をねじ６７によって組み付ける方向（下から上へ向かう方向）と、スキャナーロアー３２に対して操作パネル１６をパネルねじ６２によって組み付ける方向（下から上へ向かう方向）とが同じになっている。すなわち、ねじ６７の軸線とパネルねじ６２の軸線とが平行になっている。
【００５３】
このため、スキャナーアッパー３０に対してスキャナーロアー３２をねじ６７によって組み付ける作業と、スキャナーロアー３２に対して操作パネル１６をパネルねじ６２によって組み付ける作業とを同じ１つの工程で容易に行うことができるので、イメージスキャナー１３の組立性が向上する。
【００５４】
なお、組み立てが完了したイメージスキャナー１３は、別途組み立てられたインクジェット式プリンター１２に組み付けられることで、インクジェット複合機１１が完成する。
以上、詳述した実施形態によれば以下の効果を得ることができる。
【００５５】
（１）イメージスキャナー１３は、スキャナーアッパー３０に対してスキャナーロアー３２をねじ６７によって組み付ける方向と、スキャナーロアー３２に対して操作パネル１６をパネルねじ６２によって組み付ける方向とが同じになっている。このため、スキャナーアッパー３０に対してスキャナーロアー３２をねじ６７によって組み付ける作業と、スキャナーロアー３２に対して操作パネル１６をパネルねじ６２によって組み付ける作業とを同じ１つの工程で行うことができる。したがって、イメージスキャナー１３の組立性を向上することができ、ひいてはインクジェット複合機１１の組立性を向上することができる。
【００５６】
（２）スキャナーロアー３２には、操作パネル１６を組み付けるための組み付け部３３が一体形成されているため、組み付け部３３に対して操作パネル１６を容易に組み付けることができる。この場合、組み付け部３３を操作パネル１６の後側の開口を塞ぐ底蓋として機能させることができる。
【００５７】
（３）操作パネル１６における操作ボタン４９が配置された操作面１６ａは、ユーザーが視線を合わせやすい前斜め上方を向くように傾斜している。このため、ユーザーが操作ボタン４９を容易に操作することができる。
【００５８】
（４）操作パネル１６は、操作パネル１６をスキャナーロアー３２に組み付ける際にスキャナーロアー３２が有する第１斜面３６及び第２斜面３７に第１当接面５２及び第２当接面５３がそれぞれ当接することによって前後方向及び上下方向の位置決めがなされ、第１斜面３６及び第２斜面３７は操作面１６ａに対してそれぞれ平行及び垂直になっている。すなわち、操作パネル１６は、操作面１６ａを位置決め基準として、操作面１６ａに対してそれぞれ平行及び垂直な第１斜面３６及び第２斜面３７によってそれぞれ前後方向及び上下方向の位置決めがなされる。このため、操作パネル１６の位置決め精度を向上することができる。
【００５９】
（５）パネルケース４５のねじ止め部６３の長孔６６は、長孔６６に挿入されるパネルねじ６２の軸６２ａと交差する方向である前方に向かって開口している。このため、パネルケース４５を成型する場合に、長孔６６がアンダーカットにならないので、パネルケース４５を成型によって容易に製造することができる。
【００６０】
（６）操作パネル１６は、スキャナーロアー３２の組み付け部３３の中央凹部３９を形成する底壁部３９ａを前後方向に挟み込む係合凹部５７を備えているため、操作パネル１６の前後方向への移動が規制される。したがって、ユーザーが操作面１６ａに配置された操作ボタン４９を、操作面１６ａと交差する方向である後方に向かって押圧する操作を行った場合に、この操作力によって操作パネル１６が後方へ撓むことを抑制することができる。この結果、スキャナーロアー３２から操作パネル１６が外れにくくなるようにすることができる。
【００６１】
（７）操作パネル１６は、２本のパネルねじ６２を外すだけで、スキャナーロアー３２から容易に取り外すことができるので、操作パネル１６の交換や修理等のメンテナンスを容易に行うことができる。
【００６２】
（８）スキャナーロアー３２におけるパネルケース４５の各挿嵌部５８が挿嵌される各嵌合孔４２は、スキャナーロアー３２の前端縁部に形成された隔壁３２ａによって、スキャナーロアー３２の内部空間Ｋ（スキャナーロアー３２とガラス板３１とで形成される空間）と隔絶されている。このため、外部の塵埃などが各嵌合孔４２からスキャナーロアー３２の内部空間Ｋ内に進入することを抑制することができる。
（変更例）
なお、上記実施形態は以下のように変更してもよい。
【００６３】
・操作パネル１６の係合凹部５７を省略してもよい。
・パネルケース４５のねじ止め部６３の長孔６６を切欠部に変更し、この切欠部をパネルねじ６２が挿入される挿入部として用いてもよい。
【００６４】
・パネルケース４５のねじ止め部６３の傾斜部６５を省略してもよい。
・操作パネル１６の第１当接面５２及び第２当接面５３は、必ずしも操作面１６ａに対してそれぞれ平行及び垂直にする必要はない。
【００６５】
・スキャナーロアー３２の組み付け部３３の第１斜面３６及び第２斜面３７は、複数の点や線で形成される所謂仮想面であってもよい。
・操作パネル１６の操作面１６ａは、必ずしも傾斜させる必要はない。
【００６６】
・組み付け部３３は、必ずしもスキャナーロアー３２に一体形成する必要はない。すなわち、組み付け部３３をスキャナーロアー３２とは別体に構成してもよい。
・組み付け部３３は、スキャナーロアー３２でなくスキャナーアッパー３０に一体形成するようにしてもよい。
【００６７】
・インクジェット式プリンター１２をレーザープリンターに置き換えたレーザー複合機を複合機として用いてもよい。
【符号の説明】
【００６８】
１１…複合機としてのインクジェット複合機、１２…記録装置としてのインクジェット式プリンター、１３…画像読取装置としてのイメージスキャナー、１４…スキャナー部、１６…操作部材としての操作パネル、１６ａ…操作面、３０…第１スキャナー部材としてのスキャナーアッパー、３１…ガラス板、３２…第２スキャナー部材としてのスキャナーロアー、３３…組み付け部、３６…位置決め部としての第１斜面、３７…位置決め部としての第２斜面、５７…撓み抑制部としての係合凹部、６２…ねじとしてのパネルねじ、６２ａ…パネルねじの軸、６３…ねじ止め部、６６…挿入部としての長孔。
【図１】
2013115768.tif 000003
【図２】
2013115768.tif 000004
【図３】
2013115768.tif 000005
【図４】
2013115768.tif 000006
【図５】
2013115768.tif 000007
【図６】
2013115768.tif 000008
【図７】
2013115768.tif 000009
【図８】
2013115768.tif 000010
【図９】
2013115768.tif 000011
【図１０】
2013115768.tif 000012
【図１１】
2013115768.tif 000013
【図１２】
2013115768.tif 000014
【図１３】
2013115768.tif 000015
【図１４】
2013115768.tif 000016